(57)【要約】      （修正有）【課題】静的画像を画像から直接取得できるだけでなく、当該静的画像に加えて撮影シーン周りのオーディオ情報を取得でき、それによりユーザのためにより多くのメモリを保持し、ユーザ・エクスペリエンスを高める画像表示方法および装置ならびに端末装置を提供する。【解決手段】任意の画像に対するユーザにより入力された参照命令を検出するステップと、当該参照命令に応答し当該画像を出力するステップと、当該画像の作成時刻を当該画像のＥＸＩＦ情報から取得するステップと、当該画像の作成時刻を含むファイル名を有するオーディオ・ファイルが格納されているかどうかを問い合わせ、格納されている場合には、当該オーディオ・ファイルを出力するステップとを含む。【選択図】図１
2018098803.tif 000002
【特許請求の範囲】
【請求項１】
任意の画像に対するユーザにより入力された参照命令を検出するステップと、
前記参照命令に応答し前記画像を出力するステップと、
前記画像の作成時刻を前記画像の交換可能画像ファイルＥＸＩＦ情報から取得するステップと、
前記画像の作成時刻を含むファイル名を有するオーディオ・ファイルが格納されているかどうかを問い合わせ、前記オーディオ・ファイルが格納されている場合には、前記オーディオ・ファイルを出力するステップと、
を含む、画像表示方法。
【請求項２】
前記画像の作成時刻を含むファイル名を有するオーディオ・ファイルが格納されているかどうかを問い合わせた後、かつ、前記オーディオ・ファイルを出力する前に、
オーディオ再生ボタンを出力画像に表示するステップと、
前記ユーザにより入力された操作命令を、前記オーディオ再生ボタンで検出するステップと、
前記操作命令に応答して、前記オーディオ・ファイルを出力するステップを実施するステップと、
をさらに含む、請求項１に記載の方法。
【請求項３】
任意の画像に対するユーザにより入力された参照命令を検出する前に、
前記ユーザにより入力された記録操作開始命令を検出するステップと、
前記記録操作開始命令に応答して、記録操作を開始するステップと、
前記ユーザにより入力された撮影操作命令を検出するステップと、
前記撮影操作命令に応答して撮影操作を実施し、画像を生成するステップと、
前記ユーザにより入力された記録操作終了命令を検出するステップと、
前記記録操作終了命令に応答して前記記録操作を終了して、オーディオ・ファイルを生成するステップと、
前記生成された画像を格納するステップと、
前記画像の作成時刻を含むファイル名を用いることによって前記オーディオ・ファイルを格納するステップと、
をさらに含む、請求項１または２に記載の方法。
【請求項４】
任意の画像に対するユーザにより入力された参照命令を検出する前に、
前記ユーザにより入力された撮影操作命令を検出するステップと、
前記撮影操作命令に応答して撮影操作を実施し、画像を生成するステップと、
前記生成された画像を格納するステップと、
前記ユーザにより入力された記録操作開始命令を検出するステップと、
前記記録操作開始命令に応答して、記録操作を開始するステップと、
前記ユーザにより入力された記録操作終了命令を検出するステップと、
前記記録操作終了命令に応答して前記記録操作を終了して、オーディオ・ファイルを生成するステップと、
前記画像の作成時刻を含むファイル名を用いることによって前記オーディオ・ファイルを格納するステップと、
をさらに含む、請求項１または２に記載の方法。
【請求項５】
任意の画像に対するユーザにより入力された参照命令を検出する前に、
前記ユーザにより入力された記録操作開始命令を検出するステップと、
前記記録操作開始命令に応答して、記録操作を開始するステップと、
前記ユーザにより入力された記録操作終了命令を検出するステップと、
前記記録操作終了命令に応答して前記記録操作を終了して、オーディオ・ファイルを生成するステップと、
前記ユーザにより入力された撮影操作命令を検出するステップと、
前記撮影操作命令に応答して撮影操作を実施し、画像を生成するステップと、
前記生成された画像を格納するステップと、
前記画像の作成時刻を含むファイル名を用いることによって前記オーディオ・ファイルを格納するステップと、
をさらに含む、請求項１または２に記載の方法。
【請求項６】
プログラムを格納し、前記プログラムが実行されたとき、請求項１乃至５の何れか１項に記載の諸ステップが含まれる、コンピュータ記憶媒体。
【請求項７】
任意の画像に対するユーザにより入力された参照命令を検出するように構成された検出ユニットと、
前記検出ユニットが検出した前記参照命令に応答し、前記画像を出力するように構成された第１の出力ユニットと、
第１の出力ユニットが出力した前記画像の交換可能画像ファイルＥＸＩＦ情報から前記画像の作成時刻を取得するように構成された取得ユニットと、
前記取得ユニットにより取得された前記画像の前記作成時刻を含むファイル名を有するオーディオ・ファイルが格納されているかどうかを問い合わせるように構成された問合せユニットと、
前記問合せユニットの問合せ結果が、前記取得ユニットにより取得された前記画像の前記作成時刻を含むファイル名を有するオーディオ・ファイルが格納されているというものであるとき、前記問合せユニットにより問い合わせることによって発見された前記オーディオ・ファイルを出力するように構成された第２の出力ユニットと、
を備える、画像表示装置。
【請求項８】
前記装置はさらに、前記問合せユニットが、問合せによって、前記取得ユニットにより取得された前記画像の前記作成時刻を含むファイル名を有する前記オーディオ・ファイルが格納されていることを発見した後、オーディオ再生ボタンを第１の出力ユニットが出力した前記画像に表示するように構成された表示ユニットをさらに備え、
前記検出ユニットはさらに、第１の出力ユニットが出力した前記画像に表示された前記オーディオ再生ボタンに対する、前記ユーザにより入力された操作命令を検出し、前記操作命令に応答し、前記問合せユニットにより問い合わせることによって発見された前記オーディオ・ファイルを出力するステップを実施するように第２の出力ユニットをトリガするように構成された、
請求項７に記載の装置。
【請求項９】
前記装置はさらに、
前記ユーザにより入力された記録操作開始命令を検出し、前記記録操作開始命令に応答し、記録操作を開始するように構成された記録ユニットと、
前記ユーザにより入力された撮影操作命令を検出し、前記撮影操作命令に応答し、撮影操作を実施して、画像を生成するように構成された撮影ユニットと、
前記撮影ユニットにより生成された前記画像を格納するように構成された記憶ユニットと、
を備え、
前記記録ユニットはさらに、前記ユーザにより入力された記録操作終了命令を検出し、前記記録操作終了命令に応答し、前記記録操作を終了して、オーディオ・ファイルを生成するように構成され、
前記記憶ユニットはさらに、前記画像の作成時刻を含むファイル名を用いることによって、前記記録ユニットが生成した前記オーディオ・ファイルを格納するように構成された、
請求項７または８に記載の装置。
【請求項１０】
プロセッサと、ユーザ・インタフェースを用いて前記プロセッサに接続されたディスプレイ・スクリーン、マイクロフォン、カメラ、およびラウドスピーカと、バスを用いて前記プロセッサに接続されたメモリと、様々なネットワーク・インタフェースを用いて前記プロセッサに接続されたカップラと、前記カップラに接続されたアンテナとを備えた端末装置であって、前記メモリは１群のプログラム・コードを格納し、前記プロセッサは、前記メモリに格納された前記プログラム・コードを起動して、
任意の画像に対するユーザにより入力された参照命令を検出するステップと、
前記参照命令に応答し前記画像を出力するステップと、
前記画像の作成時刻を前記画像の交換可能画像ファイルＥＸＩＦ情報から取得するステップと、
前記画像の作成時刻を含むファイル名を有するオーディオ・ファイルが格納されているかどうかを問い合わせ、前記オーディオ・ファイルが格納されている場合には、前記オーディオ・ファイルを出力するステップと、
を実施するように構成された、端末装置。
【請求項１１】
前記画像の作成時刻を含むファイル名を有する前記オーディオ・ファイルが格納されていると問い合わせた後、かつ、前記オーディオ・ファイルを出力する前に、前記プロセッサはさらに、
オーディオ再生ボタンを出力画像に表示するステップと、
前記ユーザにより入力された操作命令を、前記オーディオ再生ボタンで検出するステップと、
前記操作命令に応答して、前記オーディオ・ファイルを出力する前記ステップを実施するステップと、
を実施する、請求項１０に記載の端末装置。
【請求項１２】
任意の画像に対する前記ユーザにより入力された前記参照命令を検出する前に、前記プロセッサはさらに、
前記ユーザにより入力された記録操作開始命令を検出するステップと、
前記記録操作開始命令に応答して、記録操作を開始するステップと、
前記ユーザにより入力された撮影操作命令を検出するステップと、
前記撮影操作命令に応答して撮影操作を実施し、画像を生成するステップと、
前記ユーザにより入力された記録操作終了命令を検出するステップと、
前記記録操作終了命令に応答して前記記録操作を終了して、オーディオ・ファイルを生成するステップと、
前記生成された画像を格納するステップと、
前記画像の作成時刻を含むファイル名を用いることによって前記オーディオ・ファイルを格納するステップと、
を実施する、請求項１０または１１に記載の端末装置。
【請求項１３】
任意の画像に対する前記ユーザにより入力された前記参照命令を検出する前に、前記プロセッサはさらに、
前記ユーザにより入力された撮影操作命令を検出するステップと、
前記撮影操作命令に応答して撮影操作を実施し、画像を生成するステップと、
前記生成された画像を格納するステップと、
前記ユーザにより入力された記録操作開始命令を検出するステップと、
前記記録操作開始命令に応答して、記録操作を開始するステップと、
前記ユーザにより入力された記録操作終了命令を検出するステップと、
前記記録操作終了命令に応答して前記記録操作を終了して、オーディオ・ファイルを生成するステップと、
前記画像の作成時刻を含むファイル名を用いることによって前記オーディオ・ファイルを格納するステップと、
を実施する、請求項１０または１１に記載の端末装置。
【請求項１４】
任意の画像に対する前記ユーザにより入力された前記参照命令を検出する前に、前記プロセッサはさらに、
前記ユーザにより入力された記録操作開始命令を検出するステップと、
前記記録操作開始命令に応答して、記録操作を開始するステップと、
前記ユーザにより入力された記録操作終了命令を検出するステップと、
前記記録操作終了命令に応答して前記記録操作を終了して、オーディオ・ファイルを生成するステップと、
前記ユーザにより入力された撮影操作命令を検出するステップと、
前記撮影操作命令に応答して撮影操作を実施し、画像を生成するステップと、
前記生成された画像を格納するステップと、
前記画像の作成時刻を含むファイル名を用いることによって前記オーディオ・ファイルを格納するステップと、
を実施する、請求項１０または１１に記載の端末装置。
【発明の詳細な説明】
【技術分野】
【０００１】
本発明は通信技術の分野に関し、特に、画像表示方法および装置、ならびに端末装置に関する。
【背景技術】
【０００２】
周知のように、撮影機能および記録機能はスマートフォン（例えば、ＡｎｄｒｏｉｄフォンおよびｉＯＳフォン）の２つの不可欠な標準構成となっている。スマートフォンの撮影機能を用いることによって、ユーザはカメラを運搬する多くの不便さを回避できるだけでなく所望の画像を自由に容易に撮影でき、それによりユーザの撮影要求が満たされる。
【０００３】
しかし、スマートフォンの撮影機能を用いることで画像を容易に撮影できるが、かかる画像は静的画像を表示できるのみであり、静的画像以外に、ユーザは撮影シーン周りのオーディオ情報を取得できず、それによりユーザに対してより多くのメモリを保持できないことが実践から分かっている。
【発明の概要】
【課題を解決するための手段】
【０００４】
本発明の諸実施形態では画像表示方法および装置、ならびに端末装置を開示する。これらは、画像が静的画像を表示できるのみでありユーザが当該静的画像に加えて撮影シーン周りのオーディオ情報を取得できないという上述の課題を解決するために使用される。
【０００５】
本発明の諸実施形態の第１の態様では画像表示方法を提供する。当該方法は、任意の画像に対するユーザにより入力された参照命令を検出するステップと、当該参照命令に応答し当該画像を出力するステップと、当該画像の作成時刻を当該画像の交換可能画像ファイル（Ｅｘｃｈａｎｇｅａｂｌｅ  Ｉｍａｇｅ  Ｆｉｌｅ、ＥＸＩＦ）情報から取得するステップと、当該画像の作成時刻を含むファイル名を有するオーディオ・ファイルが格納されているかどうかを問い合わせ、格納されている場合には、当該オーディオ・ファイルを出力するステップとを含む。
【０００６】
本発明の諸実施形態の第１の態様の第１の可能な実装方式では、当該画像の作成時刻を含むファイル名を有するオーディオ・ファイルが格納されていることを問い合わせた後、かつ、当該オーディオ・ファイルを出力する前に、当該方法はさらに、オーディオ再生ボタンを当該出力画像に表示するステップと、ユーザにより当該オーディオ再生ボタンに入力された操作命令を検出するステップと、当該操作命令に応答して、当該オーディオ・ファイルを出力するステップを実施するステップとを含む。
【０００７】
本発明の諸実施形態の第１の態様または本発明の諸実施形態の第１の態様の第１の可能な実装方式を参照して、本発明の諸実施形態の第１の態様の第２の可能な実装方式では、任意の画像に対するユーザにより入力された参照命令を検出する前に、当該方法はさらに、ユーザにより入力された記録操作開始命令を検出するステップと、当該記録操作開始命令に応答して、記録操作を開始するステップと、ユーザにより入力された撮影操作命令を検出するステップと、当該撮影操作命令に応答して撮影操作を実施し、画像を生成するステップと、ユーザにより入力された記録操作終了命令を検出するステップと、当該記録操作終了命令に応答して記録操作を終了して、オーディオ・ファイルを生成するステップと、当該生成された画像を格納するステップと、当該画像の作成時刻を含むファイル名を用いることにより当該オーディオ・ファイルを格納するステップとを含む。
【０００８】
本発明の諸実施形態の第１の態様または本発明の諸実施形態の第１の態様の第１の可能な実装方式を参照して、本発明の諸実施形態の第１の態様の第３の可能な実装方式では、任意の画像に対するユーザにより入力された参照命令を検出する前に、当該方法はさらに、ユーザにより入力された撮影操作命令を検出するステップと、当該撮影操作命令に応答して撮影操作を実施し、画像を生成するステップと、当該生成された画像を格納するステップと、ユーザにより入力された記録操作開始命令を検出するステップと、当該記録操作開始命令に応答して、記録操作を開始するステップと、ユーザにより入力された記録操作終了命令を検出するステップと、当該記録操作終了命令に応答して記録操作を終了して、オーディオ・ファイルを生成するステップと、当該画像の作成時刻を含むファイル名を用いることにより当該オーディオ・ファイルを格納するステップとを含む。
【０００９】
本発明の諸実施形態の第１の態様または本発明の諸実施形態の第１の態様の第１の可能な実装方式を参照して、本発明の諸実施形態の第１の態様の第４の可能な実装方式では、任意の画像に対するユーザにより入力された参照命令を検出する前に、当該方法はさらに、ユーザにより入力された記録操作開始命令を検出するステップと、当該記録操作開始命令に応答して、記録操作を開始するステップと、ユーザにより入力された記録操作終了命令を検出するステップと、当該記録操作終了命令に応答して記録操作を終了して、オーディオ・ファイルを生成するステップと、ユーザにより入力された撮影操作命令を検出するステップと、当該撮影操作命令に応答して撮影操作を実施し、画像を生成するステップと、当該生成された画像を格納するステップと、当該画像の作成時刻を含むファイル名を用いることにより当該オーディオ・ファイルを格納するステップとを含む。
【００１０】
本発明の諸実施形態の第２の態様ではコンピュータ記憶媒体を開示する。当該コンピュータ記憶媒体はプログラムを格納し、当該プログラムが実行されたとき、本発明の諸実施形態の第１の態様で開示した画像表示方法の全てのステップが含まれる。
【００１１】
本発明の諸実施形態の第３の態様では画像表示装置を開示する。当該装置は、任意の画像に対するユーザにより入力された参照命令を検出するように構成された検出ユニットと、当該検出ユニットが検出した当該参照命令に応答し、当該画像を出力するように構成された第１の出力ユニットと、第１の出力ユニットが出力した画像の交換可能画像ファイルＥＸＩＦ情報から当該画像の作成時刻を取得するように構成された取得ユニットと、当該画像の、当該取得ユニットにより取得された当該作成時刻を含むファイル名を有するオーディオ・ファイルが格納されているかどうかを問い合わせるように構成された問合せユニットと、当該問合せユニットの問合せ結果が肯定的であるとき、当該問合せユニットにより問い合わせることによって発見されたオーディオ・ファイルを出力するように構成された第２の出力ユニットとを備える。
【００１２】
本発明の諸実施形態の第３の態様の第１の可能な実装方式では、当該装置はさらに、当該問合せユニットが、問い合わせによって当該画像の、当該取得ユニットにより取得された当該作成時刻を含むファイル名を有するオーディオ・ファイルが格納されていることを発見した後、オーディオ再生ボタンを第１の出力ユニットが出力した画像に表示するように構成された表示ユニットを備え、当該検出ユニットはさらに、第１の出力ユニットが出力した画像に表示されたオーディオ再生ボタンに対する、ユーザにより入力された操作命令を検出し、当該操作命令に応答し、当該問合せユニットにより問い合わせることによって発見されたオーディオ・ファイルを出力するステップを実施するように第２の出力ユニットをトリガするように構成される。
【００１３】
本発明の諸実施形態の第３の態様または本発明の諸実施形態の第３の態様の第１の可能な実装方式を参照して、本発明の諸実施形態の第３の態様の第２の可能な実装方式では、当該装置はさらに、ユーザにより入力された記録操作開始命令を検出し、当該記録操作開始命令に応答し、記録操作を開始するように構成された記録ユニットと、ユーザにより入力された撮影操作命令を検出し、当該撮影操作命令に応答し、撮影操作を実施して、画像を生成するように構成された撮影ユニットと、当該撮影ユニットにより生成された画像を格納するように構成された記憶ユニットとを備え、当該記録ユニットはさらに、ユーザにより入力された記録操作終了命令を検出し、当該記録操作終了命令に応答し、当該記録操作を終了して、オーディオ・ファイルを生成するように構成され、当該記憶ユニットはさらに、当該画像の作成時刻を含むファイル名を用いることにより、当該記録ユニットが生成したオーディオ・ファイルを格納するように構成される。
【００１４】
本発明の諸実施形態の第４の態様では、プロセッサと、ユーザ・インタフェースを用いて当該プロセッサに接続されたディスプレイ・スクリーン、マイクロフォン、カメラ、およびラウドスピーカと、バスを用いて当該プロセッサに接続されたメモリと、様々なネットワーク・インタフェースを用いて当該プロセッサに接続されたカップラと、当該カップラに接続されたアンテナとを備えた端末装置を開示する。当該メモリは１群のプログラム・コードを格納し、当該プロセッサは、当該メモリに格納されたプログラム・コードを起動して、任意の画像に対するユーザにより入力された参照命令を検出するステップと、当該参照命令に応答し当該画像を出力するステップと、当該画像の作成時刻を当該画像の交換可能画像ファイルＥＸＩＦ情報から取得するステップと、当該画像の作成時刻を含むファイル名を有するオーディオ・ファイルが格納されているかどうかを問い合わせ、格納されている場合には、当該オーディオ・ファイルを出力するステップとを実施するように構成される。
【００１５】
本発明の諸実施形態の第４の態様の第１の可能な実装方式では、当該画像の作成時刻を含むファイル名を有するオーディオ・ファイルが格納されていることを問い合わせた後、かつ、当該オーディオ・ファイルを出力する前に、当該プロセッサはさらに、オーディオ再生ボタンを当該出力画像に表示するステップと、ユーザにより当該オーディオ再生ボタンに入力された操作命令を検出するステップと、当該操作命令に応答して、当該オーディオ・ファイルを出力するステップを実施するステップとを実施する。
【００１６】
本発明の諸実施形態の第４の態様または本発明の諸実施形態の第４の態様の第１の可能な実装方式を参照して、本発明の諸実施形態の第４の態様の第２の可能な実装方式では、任意の画像に対するユーザにより入力された当該参照命令を検出する前に、当該プロセッサはさらに、ユーザにより入力された記録操作開始命令を検出するステップと、当該記録操作開始命令に応答して、記録操作を開始するステップと、ユーザにより入力された撮影操作命令を検出するステップと、当該撮影操作命令に応答して撮影操作を実施し、画像を生成するステップと、ユーザにより入力された記録操作終了命令を検出するステップと、当該記録操作終了命令に応答して記録操作を終了して、オーディオ・ファイルを生成するステップと、当該生成された画像を格納するステップと、当該画像の作成時刻を含むファイル名を用いることにより当該オーディオ・ファイルを格納するステップとを実施する。
【００１７】
本発明の諸実施形態の第４の態様または本発明の諸実施形態の第４の態様の第１の可能な実装方式を参照して、本発明の諸実施形態の第４の態様の第３の可能な実装方式では、任意の画像に対するユーザにより入力された当該参照命令を検出する前に、当該プロセッサはさらに、ユーザにより入力された撮影操作命令を検出するステップと、当該撮影操作命令に応答して撮影操作を実施し、画像を生成するステップと、当該生成された画像を格納するステップと、ユーザにより入力された記録操作開始命令を検出するステップと、当該記録操作開始命令に応答して、記録操作を開始するステップと、ユーザにより入力された記録操作終了命令を検出するステップと、当該記録操作終了命令に応答して記録操作を終了して、オーディオ・ファイルを生成するステップと、当該画像の作成時刻を含むファイル名を用いることにより当該オーディオ・ファイルを格納するステップとを実施する。
【００１８】
本発明の諸実施形態の第４の態様または本発明の諸実施形態の第４の態様の第１の可能な実装方式を参照して、本発明の諸実施形態の第４の態様の第４の可能な実装方式では、任意の画像に対するユーザにより入力された当該参照命令を検出する前に、当該プロセッサはさらに、ユーザにより入力された記録操作開始命令を検出するステップと、当該記録操作開始命令に応答して、記録操作を開始するステップと、ユーザにより入力された記録操作終了命令を検出するステップと、当該記録操作終了命令に応答して記録操作を終了して、オーディオ・ファイルを生成するステップと、ユーザにより入力された撮影操作命令を検出するステップと、当該撮影操作命令に応答して撮影操作を実施し、画像を生成するステップと、当該生成された画像を格納するステップと、当該画像の作成時刻を含むファイル名を用いることにより当該オーディオ・ファイルを格納するステップとを実施する。
【００１９】
本発明の諸実施形態では、ユーザにより任意の画像に入力された参照命令が検出された後、当該画像を出力してもよく、当該画像の作成時刻がさらに当該画像のＥＸＩＦ情報から取得され、当該画像の作成時刻を含むファイル名を有するオーディオ・ファイルが格納されているかどうかが問い合わされ、格納されている場合には、問合せにより見つかったオーディオ・ファイルが出力される。本発明の諸実施形態を実施することによって、ユーザは静的画像を当該画像から直接取得できるだけでなく、当該静的画像に加えて撮影シーン周りのオーディオ情報を取得でき、それによりユーザのためにより多くのメモリが保持され、ユーザ・エクスペリエンスが高まることが分かる。
【００２０】
本発明の諸実施形態の技術的解決策をより明確に説明するために、以下では当該諸実施形態を説明するのに必要な添付図面を簡単に説明する。明らかに、以下の説明における添付図面は本発明の幾つかの実施形態を示すにすぎず、当業者は創造的作業なしにこれらの添付図面から他の図面を導出することができる。
【図面の簡単な説明】
【００２１】
【図１】本発明の１実施形態に従う画像表示方法の略流れ図である。
【図２Ａ】本発明の１実施形態に従う別の画像表示方法の略流れ図である。
【図２Ｂ】本発明の１実施形態に従う別の画像表示方法の略流れ図である。
【図３】オーディオ再生ボタンを含み本発明の１実施形態に従う端末装置により出力される画像の略図である。
【図４Ａ】本発明の１実施形態に従う別の画像表示方法の略流れ図である。
【図４Ｂ】本発明の１実施形態に従う別の画像表示方法の略流れ図である。
【図５Ａ】本発明の１実施形態に従う別の画像表示方法の略流れ図である。
【図５Ｂ】本発明の１実施形態に従う別の画像表示方法の略流れ図である。
【図６】本発明の１実施形態に従う画像表示装置の略構造図である。
【図７】本発明の１実施形態に従う端末装置の略構造図である。
【発明を実施するための形態】
【００２２】
以下で、本発明の諸実施形態における添付図面を参照して、本発明の諸実施形態の技術的解決策を明確かつ十分に説明する。明らかに、説明する諸実施形態は本発明の諸実施形態の一部にすぎず全部ではない。当業者が創造的作業なしに本発明の諸実施形態に基づいて得る他の全ての実施形態は本発明の保護範囲に入るものとする。
【００２３】
本発明の諸実施形態では画像表示方法および装置、ならびに端末装置を開示する。その結果、ユーザは静的画像を画像から直接取得できるだけでなく、当該静的画像に加えて撮影シーン周りのオーディオ情報を取得でき、それによりユーザのためにより多くのメモリが保持され、ユーザ・エクスペリエンスが高まる。以下では別々に詳細な説明を与える。
【００２４】
図１を参照すると、図１は、本発明の１実施形態に従う画像表示方法の略流れ図である。図１に示す画像表示方法が以下のステップを含んでもよい。
１０１で、任意の画像に対するユーザにより入力された参照命令を検出する。
【００２５】
本発明の当該実施形態では、端末装置が任意の画像に対するユーザにより入力された当該参照命令を検出してもよい。端末装置が、撮影機能および記録機能を有する端末装置、例えば、スマートフォン（例えば、ＡｎｄｒｏｉｄフォンおよびｉＯＳフォン）、タブレットコンピュータ、携帯情報端末（Ｐｅｒｓｏｎａｌ  Ｄｉｇｉｔａｌ  Ａｓｓｉｓｔａｎｔ、ＰＤＡ）およびモバイル・インターネット・デバイス（Ｍｏｂｉｌｅ  Ｉｎｔｅｒｎｅｔ  Ｄｅｖｉｃｅｓ、ＭＩＤ）、またはデジタルカメラを備えてもよい。本発明の当該実施形態では、端末装置はさらに、ＰＣまたは外部接続型のまたは組込みのカメラおよびマイクロフォンを有するインテリジェント・デバイスを備えるが、本発明の当該実施形態では限定されない。本発明の当該実施形態では、端末装置が少なくとも１つのプロセッサを備えてもよく、端末装置が当該少なくとも１つのプロセッサの制御下で動作してもよい。
【００２６】
本発明の当該実施形態では、端末装置により検出されユーザにより任意の画像に入力された参照命令がユーザにより任意の画像のサムネイルに入力されたタップまたはダブル・タップ命令を含んでもよく、さらに、ユーザにより任意の画像のローカル記憶アドレスに入力された命令を含んでもよい。さらに、端末装置により検出されユーザにより任意の画像に入力された参照命令がさらにディスプレイ・スクリーンを用いることによってユーザにより（左または右にスライドすることで）任意の画像に入力された参照命令を含んでもよい。
１０２で、当該参照命令に応答し当該画像を出力する。
【００２７】
本発明の当該実施形態では、端末装置が、当該参照命令に応答し、端末装置のディスプレイ・スクリーンを用いて端末装置のギャラリ内にあり当該参照命令に対応する画像を出力してもよい。
【００２８】
本発明の当該実施形態では、当該ディスプレイ・スクリーンを用いて端末装置により出力される画像が、美化編集（例えば、フェザリング）が予め実施される画像であってもよい。
【００２９】
１０３で、当該画像の作成時刻を当該出力画像のＥＸＩＦ情報から取得する。
【００３０】
本発明の当該実施形態では、端末装置が、当該画像の作成時刻を当該出力画像のＥＸＩＦ情報から取得してもよい。
【００３１】
当該画像のＥＸＩＦ情報は画像撮影プロセスにおいて端末装置（例えば、スマートフォン）により収集された一連の情報であり、当該情報は一般にＪＰＥＧ／ＴＩＦＦファイルのヘッダに配置される。即ち、当該ＥＸＩＦ情報はＪＰＥＧ／ＴＩＦＦ画像ファイル形式で組み込まれた一群の撮影パラメータであり、当該ＥＸＩＦ情報は撮影中のアパーチャ、シャッタ、ＩＳＯ、および作成時刻のような現場の撮影条件に関連する大量の情報を主に含み、さらに端末装置のブランド・モデル、カラー・コード、および全地球測位システム（ＧＰＳ）のような情報を含んでもよい。
【００３２】
１０４で、当該画像の作成時刻を含むファイル名を有するオーディオ・ファイルが格納されているかどうかを問い合わせ、格納されている場合には、当該オーディオ・ファイルを出力する。
【００３３】
本発明の当該実施形態では、端末装置が、当該画像の作成時刻を含むファイル名を有するオーディオ・ファイルが格納されているかどうかを問い合わせてもよい。当該オーディオ・ファイルが格納されている場合、端末装置は問合せにより見つかったオーディオ・ファイルを出力し、当該オーディオ・ファイルが格納されていない場合には、端末装置はオーディオ・ファイルを出力する必要はない。
【００３４】
本発明の当該実施形態では、当該画像の作成時刻は基本的に一意である。格納されたオーディオ・ファイルのファイル名が当該画像の作成時刻を含むとき、当該画像と当該オーディオ・ファイルの間のマッピング関係を実装してもよい。
【００３５】
本発明の当該実施形態では、当該画像およびそのマップされたオーディオ・ファイルはユーザが自由に参照し編集できる相互に独立な標準ファイルであり、編集後、当該画像およびそのマップされたオーディオ・ファイルの間のマッピング関係は不変のままである。
【００３６】
図１で説明した画像表示方法を用いることによって、ユーザは静的画像を画像から直接取得できるだけでなく、当該静的画像に加えて撮影シーン周りのオーディオ情報を取得でき、それによりユーザのためにより多くのメモリが保持され、ユーザ・エクスペリエンスが高まることが分かる。
【００３７】
図２Ａおよび図２Ｂを参照すると、図２Ａおよび図２Ｂは本発明の１実施形態に従う別の画像表示方法の略流れ図である。図２Ａおよび図２Ｂに示す画像表示方法が以下のステップを含んでもよい。
【００３８】
２０１で、端末装置が、ユーザにより入力された記録操作開始命令を検出する。
２０２で、端末装置が、当該記録操作開始命令に応答して、記録操作を開始する。
２０３で、端末装置が、ユーザにより入力された撮影操作命令を検出する。
２０４で、端末装置が、当該撮影操作命令に応答して、撮影操作を実施し、画像を生成する。
２０５で、端末装置が、ユーザにより入力された記録操作終了命令を検出する。
２０６で、端末装置が、当該記録操作終了命令に応答して、当該記録操作を終了し、オーディオ・ファイルを生成する。
２０７で、端末装置が当該生成された画像を格納する。
２０８で、端末装置が、上述の画像の作成時刻を含むファイル名を用いて、当該生成されたオーディオ・ファイルを格納する。
【００３９】
本発明の当該実施形態では、当該画像の作成時刻は基本的に一意である。当該上述の画像の作成時刻を含むファイル名を用いて当該生成されたオーディオ・ファイルを格納することにより、上述の画像および当該生成されたオーディオ・ファイルの間のマッピング関係を実装してもよい。
【００４０】
本発明の当該実施形態では、当該画像およびそのマップされたオーディオ・ファイルはユーザが自由に参照し編集できる相互に独立な標準ファイルであり、編集後、当該画像およびそのマップされたオーディオ・ファイルの間のマッピング関係は不変のままである。
【００４１】
本発明の当該実施形態では、上述のステップ２０１乃至ステップ２０８を連続的に実施することによって、画像撮影プロセスにおいて当該オーディオ・ファイルの記録を実装してもよく、その結果、端末装置の実行効率を高めることができる。
【００４２】
２０９で、端末装置が、ユーザにより任意の画像に入力された参照命令を検出する。
【００４３】
本発明の当該実施形態では、端末装置により検出されユーザにより任意の画像に入力された参照命令がユーザにより任意の画像のサムネイルに入力されたタップまたはダブル・タップ命令を含んでもよく、さらに、ユーザにより任意の画像のローカル記憶アドレスに入力された命令を含んでもよい。さらに、端末装置により検出されユーザにより任意の画像に入力された参照命令がさらにディスプレイ・スクリーンを用いることによってユーザにより（左または右にスライドすることで）任意の画像に入力された参照命令を含んでもよい。
【００４４】
２１０で、端末装置が、当該参照命令に応答して当該画像を出力する。
【００４５】
本発明の当該実施形態では、端末装置が、当該参照命令に応答して、端末装置のディスプレイ・スクリーンを使用して、端末装置のギャラリ内にあり当該参照命令に対応する画像を出力する。
【００４６】
本発明の当該実施形態では、当該ディスプレイ・スクリーンを用いて端末装置により出力される画像が、美化編集（例えば、フェザリング）が予め実施される画像であってもよい。
【００４７】
２１１で端末装置が当該画像の作成時刻を当該出力画像のＥＸＩＦ情報から取得する。
【００４８】
当該画像のＥＸＩＦ情報は画像撮影プロセスにおいて端末装置（例えば、スマートフォン）により収集された一連の情報であり、当該情報は一般にＪＰＥＧ／ＴＩＦＦファイルのヘッダに配置される。即ち、当該ＥＸＩＦ情報はＪＰＥＧ／ＴＩＦＦ画像ファイル形式で組み込まれた一群の撮影パラメータであり、当該ＥＸＩＦ情報は撮影中のアパーチャ、シャッタ、ＩＳＯ、および作成時刻のような現場の撮影条件に関連する大量の情報を主に含み、さらに端末装置のブランド・モデル、カラー・コード、および全地球測位システム（ＧＰＳ）のような情報を含んでもよい。
【００４９】
２１２で、端末装置が、当該画像の作成時刻を含むファイル名を有するオーディオ・ファイルが格納されているかどうかを問い合わせ、格納されている場合には、ステップ２１３を実施し、当該オーディオ・ファイルが格納されていない場合は、当該手続きを終了する。
【００５０】
２１３で、端末装置がオーディオ再生ボタンを当該出力画像に表示する。
【００５１】
本発明の当該実施形態では、図３に示すように、画像の作成時刻を含むファイル名を有するオーディオ・ファイルが格納されているのを端末装置が問い合わせるとき、端末装置はオーディオ再生ボタンを出力画像に表示する。ユーザが、操作（例えば、タップまたはダブル・タップ）を当該オーディオ再生ボタンに対して実施して、当該オーディオ再生ボタン上の操作命令を端末装置に入力してもよい。
【００５２】
２１４で、端末装置が、ユーザにより当該オーディオ再生ボタンに入力された操作命令を検出する。
【００５３】
本発明の当該実施形態では、端末装置が、ユーザにより当該オーディオ再生ボタンに入力されたタップまたはダブル・タップ操作命令を検出してもよい。
【００５４】
２１５で、端末装置が、当該操作命令に応答して、問合せにより発見された当該オーディオ・ファイルを出力する。
【００５５】
本発明の当該実施形態では、端末装置が当該操作命令に応答し、ラウドスピーカを用いて問合せにより見つかったオーディオ・ファイルを出力してもよい。
【００５６】
図２Ａおよび図２Ｂで説明した画像表示方法を用いることによって、ユーザは静的画像を画像から直接取得できるだけでなく、当該静的画像に加えて撮影シーン周りのオーディオ情報を取得でき、それによりユーザのためにより多くのメモリが保持され、ユーザ・エクスペリエンスが高まることが分かる。
【００５７】
図４Ａおよび図４Ｂを参照すると、図４Ａおよび図４Ｂは、本発明の１実施形態に従う別の画像表示方法の略流れ図である。図４Ａおよび図４Ｂに示す画像表示方法が以下のステップを含んでもよい。
【００５８】
４０１で、端末装置が、ユーザにより入力された記録操作開始命令を検出する。
４０２で、端末装置が、当該記録操作開始命令に応答して記録操作を開始する。
４０３で、端末装置が、ユーザにより入力された記録操作終了命令を検出する。
４０４で、端末装置が、当該記録操作終了命令に応答して、当該記録操作を終了し、オーディオ・ファイルを生成する。
４０５で、端末装置が、ユーザにより入力された撮影操作命令を検出する。
４０６で、端末装置が、当該撮影操作命令に応答して、撮影操作を実施し、画像を生成する。
４０７で、端末装置が当該生成された画像を格納する。
４０８で、端末装置が、上述の画像の作成時刻を含むファイル名を用いて、当該生成されたオーディオ・ファイルを格納する。
【００５９】
本発明の当該実施形態では、上述のステップ４０１乃至ステップ４０８を連続的に実施することによって、当該オーディオ・ファイルの記録が完了した後に当該画像の撮影を実装してもよく、それにより、当該オーディオ・ファイルの記録および当該画像の撮影がより選択的になる。
【００６０】
本発明の当該実施形態では、図４Ａおよび図４Ｂで説明した画像表示方法におけるステップ４０９乃至ステップ４１５は図２Ａおよび図２Ｂで説明した画像表示方法におけるステップ２０９乃至ステップ２１５と同じであり、本発明の当該実施形態では再度説明することはしない。
【００６１】
図４Ａおよび図４Ｂで説明した画像表示方法を用いることによって、ユーザは静的画像を画像から直接取得できるだけでなく、当該静的画像に加えて撮影シーン周りのオーディオ情報を取得でき、それによりユーザのためにより多くのメモリが保持され、ユーザ・エクスペリエンスが高まることが分かる。
【００６２】
図５Ａおよび図５Ｂを参照すると、図５Ａおよび図５Ｂは本発明の１実施形態に従う別の画像表示方法の略流れ図である。図５Ａおよび図５Ｂに示す画像表示方法が以下のステップを含んでもよい。
【００６３】
５０１で、端末装置が、ユーザが入力した撮影操作命令を検出する。
５０２で、端末装置が、当該撮影操作命令に応答して、撮影操作を実施し、画像を生成する。
５０３で、端末装置が当該生成された画像を格納する。
５０４で、端末装置が、ユーザにより入力された記録操作開始命令を検出する。
５０５で、端末装置が、当該記録操作開始命令に応答して、記録操作を開始する。
５０６で、端末装置が、ユーザにより入力された記録操作終了命令を検出する。
５０７で、端末装置が、当該記録操作終了命令に応答して、当該記録操作を終了し、オーディオ・ファイルを生成する。
５０８で、端末装置が、当該画像の作成時刻を含むファイル名を用いることにより、当該オーディオ・ファイルを格納する。
【００６４】
本発明の当該実施形態では、上述のステップ５０１乃至ステップ５０８を連続的に実施することによって、当該画像の撮影が終了した後に当該オーディオ・ファイルの記録を実装してもよい、それにより、当該オーディオ・ファイルの記録および当該画像の撮影がより選択的になる。
【００６５】
本発明の当該実施形態では、図５Ａおよび図５Ｂで説明した画像表示方法におけるステップ５０９乃至ステップ５１５は図２Ａおよび図２Ｂで説明した画像表示方法におけるステップ２０９乃至ステップ２１５と同じであり、本発明の当該実施形態では再度説明することはしない。
【００６６】
図５Ａおよび図５Ｂで説明した画像表示方法を用いることによって、ユーザは静的画像を画像から直接取得できるだけでなく、当該静的画像に加えて撮影シーン周りのオーディオ情報を取得でき、それによりユーザのためにより多くのメモリが保持され、ユーザ・エクスペリエンスが高まることが分かる。
【００６７】
図６を参照すると、図６は本発明の１実施形態に従う画像表示装置の略構造図である。図６に示す画像表示装置を、撮影機能および記録機能を有する様々な端末装置に適用してもよい。図６に示す画像表示装置が、任意の画像に対するユーザにより入力された参照命令を検出するように構成された検出ユニット６０１と、検出ユニット６０１が検出した参照命令に応答し当該画像を出力するように構成された第１の出力ユニット６０２と、当該画像の作成時刻を第１の出力ユニット６０２が出力した画像のＥＸＩＦ情報から取得するように構成された取得ユニット６０３と、取得ユニット６０３により取得された、当該画像の作成時刻を含むファイル名を有するオーディオ・ファイルが格納されているかどうかを問い合わせるように構成された問合せユニット６０４と、問合せユニット６０４の問合せ結果が肯定的であるとき、問合せユニット６０４により問い合わせることによって発見されたオーディオ・ファイルを出力するように構成された第２の出力ユニット６０５とを備えてもよい。
【００６８】
本発明の当該実施形態では、検出ユニット６０１が検出しユーザにより任意の画像に入力された参照命令が、ユーザにより任意の画像のサムネイルに入力されたタップまたはダブル・タップ命令を含んでもよく、さらに、ユーザにより任意の画像のローカル記憶アドレスに入力された命令を含んでもよい。さらに、検出ユニット６０１が検出しユーザにより任意の画像に入力された参照命令がさらにディスプレイ・スクリーンを用いることによってユーザにより（左または右にスライドすることで）任意の画像に入力された参照命令を含んでもよい。
【００６９】
１実施形態では、図６に示す画像表示装置がさらに、問合せにより、取得ユニット６０３により取得された、当該画像の作成時刻を含むファイル名を有するオーディオ・ファイルが格納されていることを問合せユニット６０４が発見した後、オーディオ再生ボタンを第１の出力ユニット６０２が出力した画像に表示するように構成された表示ユニット６０６を備えてもよい。
【００７０】
それに対応して、検出ユニット６０１はさらに、第１の出力ユニット６０２が出力した画像に表示されたオーディオ再生ボタンに対する、ユーザにより入力された操作命令を検出し、当該操作命令に応答し、第２の出力ユニット６０５をトリガして、問合せユニット６０４により問い合わせることによって発見されたオーディオ・ファイルを出力するステップを実施するように構成される。
【００７１】
本発明の当該実施形態では、表示ユニット６０６により、オーディオ再生ボタンを第１の出力ユニット６０２が出力した画像に表示するステップを図３に示すことができる。
【００７２】
１実施形態では、図６に示す画像表示装置がさらに記録ユニット６０７、撮影ユニット６０８、および記憶ユニット６０９を備えてもよい。記録ユニット６０７、撮影ユニット６０８、および記憶ユニット６０９の動作プロセスが以下のようであってもよい。
【００７３】
１１で、記録ユニット６０７は、ユーザにより入力された記録操作開始命令を検出し、当該記録操作開始命令に応答し、記録操作を開始するように構成される。
【００７４】
１２で、撮影ユニット６０８は、ユーザにより入力された撮影操作命令を検出し、当該撮影操作命令に応答し、撮影操作を実施して、画像を生成するように構成される。
【００７５】
１３で、記録ユニット６０７はさらに、ユーザにより入力された記録操作終了命令を検出し、当該記録操作終了命令に応答し、当該記録操作を終了して、オーディオ・ファイルを生成するように構成される。
【００７６】
１４で、記憶ユニット６０９は、撮影ユニット６０８により生成された画像を格納するように構成される。
【００７７】
１５で、記憶ユニット６０９はさらに、当該画像の作成時刻を含むファイル名を用いることにより、記録ユニット６０７が生成したオーディオ・ファイルを格納するように構成される。
【００７８】
別の実施形態では、記録ユニット６０７、撮影ユニット６０８、および記憶ユニット６０９の動作プロセスがさらに以下のようであってもよい。
【００７９】
２１で、撮影ユニット６０８は、ユーザにより入力された撮影操作命令を検出し、当該撮影操作命令に応答し、撮影操作を実施して、画像を生成するように構成される。
【００８０】
２２で、記憶ユニット６０９は、撮影ユニット６０８により生成された画像を格納するように構成される。
【００８１】
２３で、記録ユニット６０７は、ユーザにより入力された記録操作開始命令を検出し、当該記録操作開始命令に応答し、記録操作を開始するように構成される。
【００８２】
２４で、記録ユニット６０７はさらに、ユーザにより入力された記録操作終了命令を検出し、当該記録操作終了命令に応答し、当該記録操作を終了して、オーディオ・ファイルを生成するように構成される。
【００８３】
２５で、記憶ユニット６０９はさらに、当該画像の作成時刻を含むファイル名を用いることにより、記録ユニット６０７が生成したオーディオ・ファイルを格納するように構成される。
【００８４】
さらに別の実施形態では、記録ユニット６０７、撮影ユニット６０８、および記憶ユニット６０９の動作プロセスがさらに以下を含んでもよい。
【００８５】
３１で、記録ユニット６０７は、ユーザにより入力された記録操作開始命令を検出し、当該記録操作開始命令に応答し、記録操作を開始するように構成される。
【００８６】
３２で、記録ユニット６０７はさらに、ユーザにより入力された記録操作終了命令を検出し、当該記録操作終了命令に応答し、当該記録操作を終了して、オーディオ・ファイルを生成するように構成される。
【００８７】
３３で、撮影ユニット６０８は、ユーザにより入力された撮影操作命令を検出し、当該撮影操作命令に応答し、撮影操作を実施して、画像を生成するように構成される。
【００８８】
３４で、記憶ユニット６０９は、撮影ユニット６０８により生成された画像を格納するように構成される。
【００８９】
３５で、記憶ユニット６０９はさらに、当該画像の作成時刻を含むファイル名を用いることにより、記録ユニット６０７が生成したオーディオ・ファイルを格納するように構成される。
【００９０】
本発明の当該実施形態では、第１の出力ユニット６０２は特に、検出ユニット６０１が検出した参照命令に応答して、記憶ユニット６０９により格納された画像を出力するように構成される。
【００９１】
本発明の当該実施形態では、問合せユニット６０４は特に、取得ユニット６０３により取得された、当該画像の作成時刻を含むファイル名を有するオーディオ・ファイルが記憶ユニット６０９に格納されているかどうかを問い合わせるように構成される。
【００９２】
図６で説明した画像表示装置を用いることによって、ユーザは静的画像を画像から直接取得できるだけでなく、当該静的画像に加えて撮影シーン周りのオーディオ情報を取得でき、それによりユーザのためにより多くのメモリが保持され、ユーザ・エクスペリエンスが高まることが分かる。
【００９３】
図７を参照すると、図７は本発明の１実施形態に従う端末装置の略構造図である。図７に示す端末装置が、プロセッサ７０１と、ユーザ・インタフェース７０２を用いてプロセッサ７０１に接続されたディスプレイ・スクリーン７０３と、マイクロフォン７０４と、カメラ７０５と、ラウドスピーカ７０６と、バス７０７を用いてプロセッサ７０１に接続されたメモリ７０８と、様々なネットワーク・インタフェース７０９を用いて接続されたカップラ７１０と、カップラ７１０に接続されたアンテナ７１１とを備えてもよい。様々なネットワーク・インタフェース７０９が、ＩＥＥＥ８０２．１１ネットワーク・インタフェース、ＩＥＥＥ８０２．１６ネットワーク・インタフェース、および３ＧＰＰネットワーク・インタフェースのような様々な標準の幾つかのネットワーク・インタフェースを含んでもよく、本発明の当該実施形態では限定されない。ＩＥＥＥ８０２．１１ネットワーク・インタフェース、ＩＥＥＥ８０２．１６ネットワーク・インタフェース、および３ＧＰＰネットワーク・インタフェースの出力は送信のためにカップラ７１０によりアンテナ７１１に結合される。ラウドスピーカ７０６はオーディオ・ファイルを出力するように構成され、マイクロフォン７０４はオーディオ・ファイルを記録するように構成され、ディスプレイ・スクリーン７０３は画像、情報、ウェブ・ページ等を出力するように構成され、カメラ７０５は画像およびビデオを撮影するように構成される。メモリ７０８は、１群のプログラム・コードを格納するように構成され、プロセッサ７０１は、メモリ７０８に格納されたプログラム・コードを起動して、ユーザにより任意の画像に入力された（例えば、ディスプレイ・スクリーン７０３を用いて入力された）参照命令を検出するステップと、当該参照命令に応答し、ディスプレイ・スクリーン７０３を用いることによって当該画像を出力するステップと、ディスプレイ・スクリーン７０３を用いることによって出力された当該画像の情報から当該画像の作成時刻を取得するステップと、当該画像の作成時刻を含むファイル名を有するオーディオ・ファイルが格納されているかどうかを問い合わせ、格納されている場合には、ラウドスピーカ７０６を用いることによって、当該オーディオ・ファイルを出力するステップとの操作を実施するように構成される。
【００９４】
１実施形態では、当該画像の作成時刻を含むファイル名を有するオーディオ・ファイルが格納されていることを問い合わせた後、かつ、ラウドスピーカ７０６を用いることによって、当該オーディオ・ファイルを出力する前に、プロセッサ７０１はさらに、（図３に示す）オーディオ再生ボタンをディスプレイ・スクリーン７０３により出力された画像に表示するステップと、ユーザにより入力された（例えば、ディスプレイ・スクリーン７０３を用いて入力された）操作命令を当該オーディオ再生ボタンで検出するステップと、当該操作命令に応答し、ラウドスピーカ７０６を用いることによって、当該オーディオ・ファイルを出力するステップを実施するステップとの動作を実施する。
【００９５】
１実施形態では、任意の画像に対するユーザにより入力された参照命令を検出する前に、プロセッサ７０１がさらに続いて、ユーザにより入力された（例えば、ディスプレイ・スクリーン７０３を用いて入力された）記録操作開始命令を検出するステップと、当該記録操作開始命令に応答して、記録操作を開始するステップと、ユーザにより入力された（例えば、ディスプレイ・スクリーン７０３を用いて入力された）撮影操作命令を検出するステップと、当該撮影操作命令に応答して撮影操作を実施し、画像を生成するステップと、ユーザにより入力された（例えば、ディスプレイ・スクリーン７０３を用いて入力された）記録操作終了命令を検出するステップと、当該記録操作終了命令に応答して記録操作を終了して、オーディオ・ファイルを生成するステップと、当該生成された画像を格納するステップと、当該画像の作成時刻を含むファイル名を用いることにより当該オーディオ・ファイルを格納するステップとの操作を実施してもよい。
【００９６】
当該実装方式では、プロセッサ７０１が当該生成された画像をメモリ７０８に格納してもよく、当該画像の作成時刻を含むファイル名を用いることによって、当該オーディオ・ファイルをメモリ７０８に格納してもよい。
【００９７】
１実施形態では、任意の画像に対するユーザにより入力された参照命令を検出する前に、プロセッサ７０１がさらに続いて、ユーザにより入力された（例えば、ディスプレイ・スクリーン７０３を用いて入力された）撮影操作命令を検出するステップと、当該撮影操作命令に応答して撮影操作を実施し、画像を生成するステップと、当該生成された画像を格納するステップと、ユーザにより入力された（例えば、ディスプレイ・スクリーン７０３を用いて入力された）記録操作開始命令を検出するステップと、当該記録操作開始命令に応答して、記録操作を開始するステップと、ユーザにより入力された（例えば、ディスプレイ・スクリーン７０３を用いて入力された）記録操作終了命令を検出するステップと、当該記録操作終了命令に応答して記録操作を終了して、オーディオ・ファイルを生成するステップと、当該画像の作成時刻を含むファイル名を用いることにより当該オーディオ・ファイルを格納するステップとの操作を実施してもよい。
【００９８】
当該実装方式では、プロセッサ７０１が当該生成された画像をメモリ７０８に格納してもよく、当該画像の作成時刻を含むファイル名を用いることによって、当該オーディオ・ファイルをメモリ７０８に格納してもよい。
【００９９】
１実施形態では、任意の画像に対するユーザにより入力された参照命令を検出する前に、プロセッサ７０１がさらに続いて、ユーザにより入力された（例えば、ディスプレイ・スクリーン７０３を用いて入力された）記録操作開始命令を検出するステップと、当該記録操作開始命令に応答して、記録操作を開始するステップと、ユーザにより入力された（例えば、ディスプレイ・スクリーン７０３を用いて入力された）記録操作終了命令を検出するステップと、当該記録操作終了命令に応答して記録操作を終了して、オーディオ・ファイルを生成するステップと、ユーザにより入力された（例えば、ディスプレイ・スクリーン７０３を用いて入力された）撮影操作命令を検出するステップと、当該撮影操作命令に応答して撮影操作を実施し、画像を生成するステップと、当該生成された画像を格納するステップと、当該画像の作成時刻を含むファイル名を用いることにより当該オーディオ・ファイルを格納するステップとの操作を実施してもよい。
【０１００】
当該実装方式では、プロセッサ７０１が当該生成された画像をメモリ７０８に格納してもよく、当該画像の作成時刻を含むファイル名を用いることによって、当該オーディオ・ファイルをメモリ７０８に格納してもよい。
【０１０１】
本発明の当該実施形態で開示した画像表示方法を実装するのに必要な構成要素のみが図７に示す端末装置内に示されていることに留意されたい。端末装置が有しうる物理鍵、キーボード、電源、筐体のような他の構成要素については、本発明の当該実施形態の実装に影響を及ぼさないので本発明の当該実施形態では示していない。さらに、ユーザはキーボードまたは物理鍵を用いることによって上述の様々な命令を端末装置に入力してもよい。
【０１０２】
図７で説明した端末装置を用いることによって、ユーザは静的画像を画像から直接取得できるだけでなく、当該静的画像に加えて撮影シーン周りのオーディオ情報を取得でき、それによりユーザのためにより多くのメモリが保持され、ユーザ・エクスペリエンスが高まることが分かる。
【０１０３】
方法の実施形態のステップの全部または一部を、端末装置の関連するハードウェアに指示するプログラムによって実装してもよいことは当業者には理解される。当該プログラムをコンピュータ可読記憶媒体に格納してもよい。当該プログラムを実行すると、当該方法の実施形態のステップが実施される。上述の記憶媒体には、フラッシュ・ディスク、読取り専用メモリ（Ｒｅａｄ−Ｏｎｌｙ  Ｍｅｍｏｒｙ、ＲＯＭ）、ランダム・アクセス・メモリ（Ｒａｎｄｏｍ  Ａｃｃｅｓｓ  Ｍｅｍｏｒｙ、ＲＡＭ）、磁気ディスク、または光ディスクのような、プログラム・コードを格納できる任意の媒体が含まれる。
【０１０４】
以上で、本発明の諸実施形態で開示した画像を表示するための方法、装置、および端末装置を詳細に説明した。具体的な例を本明細書で使用して、本発明の原理と実装を説明した。上述の実施形態の説明は、当該方法と本発明の中心的な思想をより理解できるようにしようとしたものにすぎない。さらに、当該実装および本願の範囲に関して、本発明の思想に従って修正を当業者により行ってもよい。したがって、本明細書は本発明に対する限定と解釈すべきではない。
【符号の説明】
【０１０５】
６０１  検出ユニット
６０２  第１の出力ユニット
６０３  取得ユニット
６０４  問合せユニット
６０５  第２の出力ユニット
６０６  表示ユニット
６０７  記録ユニット
６０８  撮影ユニット
６０９  記憶ユニット
７０１  プロセッサ
７０２  ユーザ・インタフェース
７０３  ディスプレイ・スクリーン
７０８  メモリ
７１０  カップラ
【図１】
2018098803.tif 000003
【図２Ａ】
2018098803.tif 000004
【図２Ｂ】
2018098803.tif 000005
【図３】
2018098803.tif 000006
【図４Ａ】
2018098803.tif 000007
【図４Ｂ】
2018098803.tif 000008
【図５Ａ】
2018098803.tif 000009
【図５Ｂ】
2018098803.tif 000010
【図６】
2018098803.tif 000011
【図７】
2018098803.tif 000012
【外国語明細書】
2018098803000001.pdf